(57)【特許請求の範囲】
【請求項１】
透明基材と、前記透明基材の入力領域に設けられた透明電極と、前記透明電極の端部から前記入力領域の周囲に位置する周辺領域に延出形成された配線部と、前記配線部と電気的に接続された端子部と、を有するセンサ基板、および、前記端子部と電気的に接続される配線基板を備え、
前記配線部は、前記透明電極の第１端部から前記周辺領域に延出形成された第１配線部と、前記透明電極の前記第１端部と異なる第２端部から前記周辺領域に延出形成された第２配線部とを備え、前記透明電極ならびに前記第１配線部と前記第２配線部が複数設けられ、前記端子部は、それぞれの前記第１配線部の端部に設けられた複数の第１端子部を有し、
前記周辺領域に、それぞれの前記第２配線部に接続された第１配線接続部が設けられ、前記透明電極に導通する前記第１配線部と、これと同じ透明電極に導通する前記第２配線部に接続された前記第１配線接続部とが、同じ前記第１端子部に接続されており、
前記第１配線部と前記第２配線部および前記第１配線接続部のいずれもが、前記周辺領域で重なることなく形成されていることを特徴とする静電容量式入力装置。
【請求項２】
平面視にて直交する２方向をＸ１−Ｘ２方向及びＹ１−Ｙ２方向としたとき、
各第１配線部は、前記入力領域のＸ１側に位置するＸ１側周辺領域から前記入力領域のＹ１側に位置するＹ１側周辺領域にかけて形成されており、
各第２配線部は、前記入力領域のＸ２側に位置するＸ２側周辺領域から前記Ｙ１側周辺領域にかけて形成されており、
前記各第１端子部が、前記Ｙ１側周辺領域にてＸ１−Ｘ２方向に間隔を空けて配列されており、
前記各第１配線接続部が、前記Ｙ１側周辺領域内にて、前記第１端子部のＹ１側端部から引き出され、前記第２配線部に近づく方向に引き回されて前記各第２配線部と接続されており、
前記各第１配線接続部の表面は、第１絶縁層にて覆われている請求項１記載の静電容量式入力装置。
【請求項３】
前記第１配線接続部及び前記第１配線部と前記第２配線部は、前記入力領域から離れる方向に間隔を空けて配置される請求項２記載の静電容量式入力装置。
【請求項４】
複数の前記透明電極は、複数の第１透明電極と複数の第２透明電極とを備え、
複数の前記第１透明電極を第１連結部を介してＸ１−Ｘ２方向に連結してなる第１電極連結体が形成され、前記第１電極連結体は、Ｙ１−Ｙ２方向に間隔を空けて複数配置されており、
複数の前記第２透明電極を、前記第１透明電極と離間した位置に設けて第２連結部を介してＹ１−Ｙ２方向に連結してなる第２電極連結体が形成され、前記第２電極連結体は、Ｘ１−Ｘ２方向に間隔を空けて複数配置されており、
前記各第１透明電極間の前記第１連結部と、前記各第２透明電極間の前記第２連結部とが第２絶縁層を介して平面視にて交差しており、
前記各第１電極連結体のＸ１側に位置する前記第１端部及びＸ２側に位置する前記第２端部から夫々、前記第１配線部及び前記第２配線部が延出形成されている請求項１ないし３のいずれか１項に記載の静電容量式入力装置。
【請求項５】
前記各第２電極連結体の前記Ｙ１側の第３端部から第３配線部が前記Ｙ１側周辺領域に延出形成され、前記各第２電極連結体の前記Ｙ２側の第４端部から第４配線部が前記Ｙ２側周辺領域に延出形成され、前記第４配線部は、前記Ｙ２側周辺領域から前記Ｙ１側周辺領域にまで引き回されており、
前記各第２電極連結体から引き出された前記第３配線部と前記第４配線部とが、前記第３配線部の端部に形成された第２端子部を介して第２配線接続部により電気的に接続され、前記第３配線部及び前記第４配線部が、第１配線部及び第２配線部と電気的に絶縁されている請求項４記載の静電容量式入力装置。
【請求項６】
前記各第２配線接続部は、前記各第１配線接続部と電気的に絶縁されている請求項５記載の静電容量式入力装置。
【請求項７】
前記第２配線接続部の表面は、第３絶縁層で覆われている請求項６記載の静電容量式入力装置。
【請求項８】
前記第１連結部と前記第２連結部の一方が前記第１透明電極又は前記第２透明電極と別体で接続されたブリッジ配線を構成し、
前記ブリッジ配線と前記第１配線接続部、あるいは前記ブリッジ配線と前記第２配線接続部とが同じ材質で形成される請求項５ないし７のいずれか１項に記載の静電容量式入力装置。
【発明の詳細な説明】
【技術分野】
【０００１】
本発明は、入力領域の周囲に位置する周辺領域に形成される配線構造に関する。
【背景技術】
【０００２】
特許文献１には、センサ基板に形成された各電極の両側から配線部が引き出され、各配線部の先端の端子部同士がフレキシブルプリント基板内にて電気的に接続される静電容量式入力装置が開示されている（引用文献１の図５参照）。
【０００３】
特許文献１のように電極の両側から配線部を引き出して、フレキシブルプリント基板に接続する構成とすることで、電気抵抗を低減でき、電荷のチャージ時間を早めることができて応答性を改善できる。
【先行技術文献】
【特許文献】
【０００４】
【特許文献１】特開２０１０−１２８６７６号公報
【発明の概要】
【発明が解決しようとする課題】
【０００５】
しかしながら電極の両側から配線部を引き出して、各配線部の端部をフレキシブルプリント基板との接続用端子としているため、フレキシブルプリント基板と電気的に接続されるセンサ基板側での端子部の数が増え、その結果、フレキシブルプリント基板のサイズが大きくなる問題があった。
【０００６】
また特許文献１では、フレキシブルプリント基板の内部でセンサ基板の電極から引き出された端子間を電気的に接続させているが、スルーホール等を設けて接続させる複雑な積層構造を必要とした。
【０００７】
このように従来ではフレキシブルプリント基板のサイズが大きくなり、またフレキシブルプリント基板内で積層構造が必要となり、生産コストが上昇する問題があった。
【０００８】
そこで本発明は上記従来の課題を解決するためのものであり、特に、座標入力やジェスチャ操作の応答性に優れるとともに従来に比べて生産コストを低減できる静電容量式入力装置を提供することを目的とする。
【課題を解決するための手段】
【０００９】
本発明における静電容量式入力装置は、透明基材と、前記透明基材の入力領域に設けられた透明電極と、前記透明電極の端部から前記入力領域の周囲に位置する周辺領域に延出形成された配線部と、前記配線部と電気的に接続された端子部と、を有するセンサ基板、および、前記端子部と電気的に接続される配線基板を備え、
前記配線部は、前記透明電極の第１端部から前記周辺領域に延出形成された第１配線部と、前記透明電極の前記第１端部と異なる第２端部から前記周辺領域に延出形成された第２配線部とを備え、前記透明電極ならびに前記第１配線部と前記第２配線部が複数設けられ、前記端子部は、それぞれの前記第１配線部の端部に設けられた複数の第１端子部を有し、
前記周辺領域に、それぞれの前記第２配線部に接続された第１配線接続部が設けられ、前記透明電極に導通する前記第１配線部と、これと同じ透明電極に導通する前記第２配線部に接続された前記第１配線接続部とが、同じ前記第１端子部に接続されており、
前記第１配線部と前記第２配線部および前記第１配線接続部のいずれもが、前記周辺領域で重なることなく形成されていることを特徴とするものである。
【００１０】
従来では、第１配線部と第２配線部間をセンサ基板側で電気的に接続しておらず、各配線部の端部に配線基板との接続用端子を設けることが必要であったが、本発明では、第１配線部と第２配線部とをセンサ基板側にて第１配線接続部により電気的に接続しているから、第１端子部を第１配線部の端部に設ければ足り、端子数を半減できる。よって、配線基板のサイズを従来に比べて小さく形成できる。また、従来のように配線基板側を積層化する必要もない。以上により、生産コストを従来よりも低減させることができる。
【００１１】
また本発明では、配線部の数が増えても、センサ基板側で適切に配線接続部により同じ前記透明電極から引き出された配線同士を平面的に接続することができ、センサ基板の薄型化とともに入力領域以外の周辺領域の寄生容量の発生を抑制できる。また、同じ透明電極の両側から引き出された第１配線部と第２配線部とが配線接続部により電気的に接続されているため、電気抵抗を低減でき、電荷のチャージ時間を早めることで、座標入力やジェスチャ操作の応答性を向上させることができる。
【００１２】
また本発明では、平面視にて直交する２方向をＸ１−Ｘ２方向及びＹ１−Ｙ２方向としたとき、
各第１配線部は、前記入力領域のＸ１側に位置するＸ１側周辺領域から前記入力領域のＹ１側に位置するＹ１側周辺領域にかけて形成されており、
各第２配線部は、前記入力領域のＸ２側に位置するＸ２側周辺領域から前記Ｙ１側周辺領域にかけて形成されており、
前記各第１配線部の端部に第１端子部が設けられ、各第１端子部が、前記Ｙ１側周辺領域にてＸ１−Ｘ２方向に間隔を空けて配列されており、
各第１配線接続部が、前記Ｙ１側周辺領域内にて、前記第１端子部のＹ１側端部から引き出され、前記第２配線部に近づく方向に引き回されて前記各第２配線部と接続されており、
前記各第１配線接続部の表面は、第１絶縁層にて覆われていることが好ましい。
【００１３】
これにより、各第１端子部をコンパクトに配置できるとともに、各第１端子部間の絶縁性を確保できる。さらに配線基板の電気接続部と各第１端子部とを確実に接続できるとともに、配線基板の電気接続部と第１配線接続部との短絡を第１絶縁層により確実に防止できる。
【００１４】
また本発明では、前記第１配線接続部及び前記第１配線接続部に接続される前記第１配線部及び前記第２配線部は、前記入力領域から離れる方向に間隔を空けて配置されることが好ましい。これにより、各第１配線接続部を狭い領域内にて平面的に効率よく配置することができる。
【００１５】
また本発明では、複数の前記透明電極は、Ｘ１−Ｘ２方向に延出し且つＹ１−Ｙ２方向に間隔を空けて配置されていることが好ましい。これにより、よりセンサ基板の薄型化を促進できる。
【００１６】
また本発明では、複数の前記透明電極は、複数の第１透明電極と複数の第２透明電極とを備え、
複数の前記第１透明電極を第１連結部を介してＸ１−Ｘ２方向に連結してなる第１電極連結体が形成され、前記第１電極連結体は、Ｙ１−Ｙ２方向に間隔を空けて複数配置されており、
複数の前記第２透明電極を、前記第１透明電極と離間した位置に設けて第２連結部を介してＹ１−Ｙ２方向に連結してなる第２電極連結体が形成され、前記第２電極連結体は、Ｘ１−Ｘ２方向に間隔を空けて複数配置されており、
前記各第１透明電極部間の前記第１連結部と、前記各第２透明電極部間の前記第２連結部とが第２絶縁層を介して平面視にて交差しており、
前記各第１電極連結体のＸ１側に位置する前記第１端部及びＸ２側に位置する前記第２端部から夫々、前記第１配線部及び前記第２配線部が延出形成されていることが好ましい。これにより、センサ基板の薄型化を促進できる。
【００１７】
また本発明では、前記各第２電極連結体の前記Ｙ１側の第３端部から第３配線部が前記Ｙ１側周辺領域に延出形成され、前記各第２電極連結体の前記Ｙ２側の第４端部から第４配線部が前記Ｙ２側周辺領域に延出形成され、前記第４配線部は、前記Ｙ２側周辺領域から前記Ｙ１側周辺領域にまで引き回されており、
前記各第２電極連結体から引き出された前記第３配線部と前記第４配線部とが、前記第３配線部の端部に形成された第２端子部を介して第２配線接続部により電気的に接続され、前記第３配線部及び前記第４配線部が、第１配線部及び第２配線部と電気的に絶縁されていることが好ましい。本発明では、複数の第２透明電極をＹ１−Ｙ２方向に連結してなる各第２電極連結体に対しても、Ｙ１−Ｙ２方向の両側から配線部を引き出して、第２配線接続部により電気的に接続させることができ、座標入力やジェスチャ操作に対する応答性をより優れた静電容量式入力装置にできる。
【００１８】
また本発明では、前記各第２配線接続部は、前記各第１配線接続部と電気的に絶縁されていることが好ましい。
【００１９】
また、本発明では、前記第２配線接続部の表面は、第３絶縁層で覆われていることが好ましい。これにより配線基板の電気接続部と各第２端子部とを確実に接続できるとともに、配線基板の電気接続部と第２配線接続部の短絡を第３絶縁層により確実に防止できる。
【００２０】
また、前記第１配線部及び前記第２配線部と、第２配線接続部との間を電気的に絶縁することができる。これにより、第２配線接続部を有する部分では積層構造となるが、センサ基板における他の領域でのプロセスと同工程を用いて積層構造を形成でき、配線基板側を積層化するよりも生産コストの低減を効果的に図ることができる。
【００２１】
また本発明では、前記第１連結部と前記第２連結部の一方が前記第１透明電極又は前記第２透明電極と別体で接続されたブリッジ配線を構成し、
前記ブリッジ配線と前記第１配線接続部、あるいは前記ブリッジ配線と前記第２配線接続部とが同じ材質で形成されることが好ましい。これにより生産コストの低減を図ることができる。
【発明の効果】
【００２２】
本発明の静電容量式入力装置によれば、第１配線部と第２配線部とをセンサ基板側にて第１配線接続部により電気的に接続しているから、第１端子部を第１配線部の端部に設ければ足り、端子部の数を半減できる。よって、配線基板のサイズを従来に比べて小さく形成できる。また、従来のように配線基板側を積層化する必要もない。また、同じ透明電極の両側から引き出された第１配線部と第２配線部とが第１配線接続部により電気的に接続されているため、電気抵抗を低減でき、電荷のチャージ時間を早めることができて、座標入力やジェスチャ操作の応答性を早めることができる。以上により、座標入力やジェスチャ操作の応答性に優れるとともに、生産コストを従来よりも低減させることができる。
【図面の簡単な説明】
【００２３】
【図１】図１（ａ）は、本発明の第１の実施形態における静電容量式入力装置（タッチパネル）の平面図であり、図１（ｂ）は、図１（ａ）に示すＡ−Ａ線に沿って切断し矢印方向から見た静電容量式の部分拡大縦断面図であり、図１（ｃ）は、図１（ｂ）とは一部異なる静電容量式の部分拡大縦断面図である。
【図２】図２（ａ）は、図１（ａ）の一部を拡大して示した静電容量式の部分拡大平面図であり、図２（ｂ）は、図２（ａ）とは異なる配線部から配線接続部にかけてのパターンを示す部分拡大平面図である。
【図３】図３（ａ）は、本発明の第２の実施形態における静電容量式入力装置（タッチパネル）の平面図であり、図３（ｂ）は、図１（ａ）に示すＢ−Ｂ線に沿って切断し矢印方向から見た部分拡大縦断面図である。
【図４】図４は、図３（ａ）の一部を拡大して示した静電容量式の部分拡大平面図である。
【図５】図５（ａ）は、本実施形態における透明電極の部分を拡大して示した部分拡大平面図であり、図５（ｂ）は、静電容量式入力装置の部分拡大縦断面図であり、図５（ｃ）は、図５（ｂ）とは一部異なる静電容量式入力装置の部分拡大縦断面図である。
【図６】図６は、本発明の第３の実施形態における静電容量式入力装置の平面図である。
【発明を実施するための形態】
【００２４】
図１（ａ）は、本発明の第１の実施形態における静電容量式入力装置（タッチパネル）の平面図であり、図１（ｂ）は、図１（ａ）に示すＡ−Ａ線に沿って切断し矢印方向から見た静電容量式の部分拡大縦断面図であり、図１（ｃ）は、図１（ｂ）とは一部異なる静電容量式の部分拡大縦断面図である。図２（ａ）は、図１（ａ）の一部を拡大して示した静電容量式の部分拡大平面図である。図３（ａ）は、本発明の第２の実施形態における静電容量式入力装置（タッチパネル）の平面図であり、図３（ｂ）は、図１（ａ）に示すＢ−Ｂ線に沿って切断し矢印方向から見た部分拡大縦断面図である。また、図４は、図３（ａ）の一部を拡大して示した静電容量式の部分拡大平面図である。また、図５（ａ）は、本実施形態における透明電極の部分を拡大して示した部分拡大平面図であり、図５（ｂ）は、静電容量式入力装置の部分拡大縦断面図であり、図５（ｃ）は、図５（ｂ）とは一部異なる静電容量式入力装置の部分拡大縦断面図である。図６は、本発明の第３の実施形態における静電容量式入力装置の平面図である。
【００２５】
なおこの明細書において、「透明」「透光性」とは可視光線透過率が５０％以上（好ましくは８０％以上）の状態を指す。更にヘイズ値が６以下であることが好適である。
【００２６】
なお図１に示すように静電容量式入力装置１は、センサ基板９とフレキシブルプリント基板（配線基板）２１とを有して構成される。
【００２７】
センサ基板９は、透明基材２と、透明基材２の表面２ａに形成された複数の透明電極４，５及び複数の配線部６とを備える。図５（ｂ）のように、透明基材２の表面側には透明パネル３が設けられているため、図１（ａ）は透明パネル３を透視した図としてもよい。なお透明電極は透明なので視認できないが、図１では透明電極の外形を示している。透明基材２は、ポリエチレンテレフタレート（ＰＥＴ）等のフィルム状の透明基材やガラス基材等で形成される。また各透明電極４，５は、ＩＴＯ（Indium Tin Oxide）等の透明導電材料でスパッタや蒸着により成膜される。
【００２８】
図１（ａ）に示すように、センサ基板９の入力領域（表示領域）１１内には複数の第１透明電極４と複数の第２透明電極５とが形成される。
【００２９】
複数の第１透明電極４は、図１（ａ）、図５（ｂ）に示す透明基材２の表面２ａに形成され、図５（ａ）に示すように、各第１透明電極４は、細い第１連結部７を介してＸ１−Ｘ２方向（第１方向）に連結されている。そして図１（ａ）に示すように、Ｘ１−Ｘ２方向に連結された複数の第１透明電極４からなる第１電極連結体８がＹ１−Ｙ２方向に間隔を空けて配列されている。各第１透明電極４と各第１連結部７とは一体形成される。
【００３０】
また複数の第２透明電極５は、図１（ａ）、図５（ａ）（ｂ）に示す透明基材２の表面２ａに形成される。このように、第２透明電極５は第１透明電極４と同じ面（透明基材２の表面２ａ）に形成される。図５（ａ）（ｂ）に示すように、各第２透明電極５は、別体で形成された細いブリッジ配線１０（第２連結部）を介してＹ１−Ｙ２方向（第２方向）に連結されている。そして、図１（ａ）に示すように、Ｙ１−Ｙ２方向に連結された複数の第２透明電極５からなる第２電極連結体１２がＸ１−Ｘ２方向に間隔を空けて配列されている。
【００３１】
図５（ａ）（ｂ）に示すように、第１透明電極４間を連結する第１連結部７の表面には絶縁層（第２絶縁層）２０が形成されている。そして図５（ａ）（ｂ）に示すように、ブリッジ配線１０は、絶縁層２０の表面２０ａから絶縁層２０のＹ１−Ｙ２方向の両側に位置する各第２透明電極５間にかけて形成されている。ブリッジ配線は、各第２透明電極５間を電気的に接続している。
【００３２】
図５（ａ）（ｂ）に示す構成により、第１透明電極４と第２透明電極５とは電気的に絶縁された状態にできる。そして第１透明電極４と第２透明電極５とを同じ面（透明基材２の表面２ａ）に形成することができ、静電容量式入力装置１の薄型化を実現できる。
【００３３】
なお図５と異なって、第１連結部７が、絶縁層２０の表面に形成される別体のブリッジ配線を構成し、第２透明電極５間を連結する第２連結部が、第２透明電極５と同じ形成面にて一体的に形成される構成とすることもできる。
【００３４】
図１（ａ）に示すように、入力領域１１の周囲は額縁状の周辺領域（非入力領域）２５となっている。入力領域１１は透明、透光性であるが、周辺領域２５は、図５（ｂ）に示す透明なパネル３の裏面３ｂに形成される加飾層（図示せず）により不透明、非透光性の加飾領域とすることが好ましい。加飾層は、配線部６、端子部１５、１７、配線接続部１８を操作者から遮蔽するとともに、操作者に審美性を与えることができる。
【００３５】
図１（ａ）に示すように、周辺領域２５には、各第１電極連結体８のＸ１−Ｘ２方向の両側端部から引き出された複数本の配線部６が形成されている。各配線部は、Ｃｕ、Ｃｕ合金、ＣｕＮｉ合金、Ｎｉ、Ａｇ等の金属材料を有して形成される。なお、各配線部は、各透明電極からＩＴＯが一体的に引き出され、ＩＴＯ表面に上記の金属材料が形成された積層構造とすることができる。
【００３６】
本明細書では、各第１電極連結体８のＸ１側端部（第１端部）８ａから、周辺領域２５のＸ１側周辺領域２５ａに引き出された配線部を第１配線部６ａとし、各第１電極連結体８のＸ２側端部（第２端部）８ｂから、周辺領域２５のＸ２側周辺領域２５ｂに引き出された配線部を第２配線部６ｂとする。なお、第１端部と第２端部とは異なる端部であり、引き出し方によって第１端部と第２端部をＸ１−Ｘ２方向の両側から引き出す構成に限定されず、例えば、第１端部を入力領域のＸ１側端部、第２端部を入力領域のＹ１側端部とすることもできる。
【００３７】
図１（ａ）に示すように、複数本の第１配線部６ａは、Ｘ１側周辺領域２５ａからＹ１側周辺領域２５ｃにかけて延出形成されている。また、図１（ａ）に示すように複数本の第２配線部６ｂは、Ｘ２側周辺領域２５ｂからＹ１側周辺領域２５ｃにかけて延出形成されている。
【００３８】
図１（ａ）、図２（ａ）に示すように、Ｙ１側周辺領域２５ｃにて、各第１配線部６ａの先端部は第１端子部１５を構成している。第１端子部１５は、フレキシブルプリント基板２１との接続用端子である。なお、図２に示す符号６ｂを第１配線部とし、符号６ａを第２配線部として定義した場合には、図２に示す配線部６ｂの先端に第１端子部１６を形成し、またその際には、絶縁層１９から第１端子部１６を露出させる。
【００３９】
また、図２（ａ）に示す第１配線部６ａの先端部に第１端子部１５を形成するとともに、第２配線部６ｂの先端にダミーな端子部１６を形成してもよい。左右対称的な配線構造にできる。
【００４０】
本実施形態では、第１端子部１５を、第１配線部６ａと異なる材質で形成可能であるが、同じ材質とし各第１端子部１５と各配線部６ａとを一体形成することが製造工程を簡単にでき、また生産コストの低減を図ることができ好適である。図１（ａ），図２（ａ）に示すように、第１端子部１５の幅は、第１配線部６ａの配線幅よりも広く形成される。
【００４１】
また、図１（ａ），図２（ａ）に示すように、Ｙ１側周辺領域２５ｃには、各第２電極連結体１２のＹ１側端部（第３端部）１２ａから引き出された複数本の第３配線部６ｃが形成されている。各第３配線部６ｃの先端は、第２端子部１７を構成している。
【００４２】
図１（ａ）、図２（ａ）に示すように第１端子部１５および第２端子部１７はＸ１−Ｘ２方向に一定の間隔を空けて配列されている。
【００４３】
図１（ａ）、図２（ａ）に示すように、同じ第１電極連結体８の両側から引き出された第１配線部６ａと第２配線部６ｂとが第１配線接続部１８により電気的に接続されている。
【００４４】
ここで図２（ａ）に示すように、各第２配線部６ｂと各第１配線接続部１８とが一体的に形成されている場合、各第２配線部６ｂと各第１配線接続部１８との境界を厳密に規定するものではないが、例えば、各第１配線部６ａと各第１配線接続部１８との境界と同位置と規定することができる。
【００４５】
図１（ａ）、図２（ａ）に示すように、各第１配線接続部１８は、各第１端子部１５のＹ１側端部からＹ１方向への領域に向けて引き出され、第２配線部６ｂに近づく方向に引き回されて各第２配線部６ｂと一体的に接続されている。
【００４６】
このように各第１配線接続部１８は、Ｙ１側周辺領域２５ｃであって、第１端子部１５よりも入力領域１１から離れた領域（第１端子部１５よりもＹ１側の領域）に形成される。
【００４７】
例えば図２（ｂ）に示すように、第１配線部６ａの途中からパターンが枝分かれして、一方が第１端子部１５となり、他方が配線接続部１８を介して第２配線部６ｂに繋がる形態としてもよいが、第１配線部６ａの途中で枝分かれさせる形態とすると、Ｘ１−Ｘ２方向に配列する複数の端子部１５，１７間の非常に狭い領域にパターンを通すことが必要になるため、図２（ａ）に示すように、各第１端子部１５のＹ１側端部から各第１配線接続部１８を、第１端子部１５よりもＹ１側の領域に向けて形成することが好ましい。
【００４８】
図２（ａ）に示すように、各第１配線接続部１８の表面は絶縁層（第１絶縁層）１９により覆われている。なお、第１端子部１５及び第２端子部１７の表面は絶縁層１９で覆われておらず露出している。
【００４９】
図１（ｂ）、図２（ａ）に示すように、各第１配線接続部１８は、各第１端子部１５と一体形成されていてもよい。図２（ａ）に示すように各配線部６ａ，６ｂ、各第１端子部１５及び各第１配線接続部１８は一体的にパターン形成されている。
【００５０】
あるいは図１（ｃ）に示すように、各第１配線接続部１８と第１端子部１５とを別に形成することもできる。このとき、例えば第１配線接続部１８を、図５で示したブリッジ配線１０と同時に形成することもできる。これにより、配線接続部１８とブリッジ配線１０とを同じ材質で形成できる。ブリッジ配線１０及び第１配線接続部１８の材質を限定するものではないが、例えば、Ａｕ、Ａｕ合金やＣｕＮｉ等の金属層の単層構造、あるいは、金属層の上面あるいは下面、又はその双方にＩＴＯを備える積層構造とすることもできる。
【００５１】
図１（ａ）、図２（ａ）に示す一点鎖線はフレキシブルプリント基板（配線基板）２１を示している。図１（ｂ）（ｃ）、図２（ａ）に示すように、フレキシブルプリント基板２１には、センサ基板９との対向面側に複数の配線部２３が形成され、また各配線部２３の先端に電気接続部２２が形成されている。各配線部２３は、電気接続部２２以外の部分が絶縁層２４で覆われている。なお配線基板は、必ずしもフレキシブルなプリント基板に限定されるものでないが、フレキシブルプリント基板２１を用いることが電気機器への組立容易性、取り扱い性に優れ好適である。
【００５２】
そして、フレキシブルプリント基板２１の各電気接続部２２と、センサ基板９の各第１端子部１５及び各第２端子部１７とが電気的に接続されている。各電気接続部２２と各端子部１５，１７間は例えば異方性接着剤を介して接合されている。
【００５３】
図５（ｂ）に示すように、透明基材２の表面２ａ側とパネル３との間が光学透明粘着層（ＯＣＡ；Optical Clear Adhesive）３０を介して接合されている。パネル３は特に材質を限定するものではないが、ガラス基材やプラスチック基材が好ましく適用される。光学透明粘着層（ＯＣＡ）３０は、アクリル系粘着剤や両面粘着テープ等である。
【００５４】
また、図５（ａ）（ｃ）に示すように、透明基材２の裏面２ｂ側に各透明電極４，５、絶縁層２０及びブリッジ配線１０を設けることもできる。かかる場合では、各配線層、各端子部及び各第１配線接続部１８も透明基材２の裏面２ｂ側に形成される。図５（ａ）（ｃ）では、透明基材２の裏面２ｂに光学透明粘着層（ＯＣＡ）２８を介して別の透明基材２６が接合されている。
【００５５】
図１に示す静電容量式入力装置１では、図５（ｂ）に示すように指Ｆをパネル３の操作面３ａ上に接触させると、指Ｆと指Ｆに近い第１透明電極４との間、及び第２透明電極５との間で静電容量が生じる。このときの静電容量変化に基づいて、指Ｆの接触位置を算出することが可能である。指Ｆの位置は、第１透明電極４との間の静電容量変化に基づいてＹ座標を検知し、第２透明電極５との間の静電容量変化に基づいてＸ座標を検知する（自己容量検出型）。また、第１透明電極４と第２透明電極５の一方の第１透明電極の一列に駆動電圧を印加し、他方の第２透明電極により指Ｆとの間の静電容量の変化を検知して第２透明電極によりＸ位置を検知し、第１透明電極によりＹ位置を検知する相互容量検出型であってもよい。
【００５６】
本実施形態では、各第１電極連結体８の両側から第１配線部６ａ及び第２配線部６ｂが周辺領域２５に引き出されてフレキシブルプリント基板２１に接続される。これにより電気抵抗を低減でき、電荷のチャージ時間を早めることができて、座標入力やジェスチャ操作に対して良好な応答性を得ることができる。
【００５７】
ところで、従来では、センサ基板９側では、第１配線部６ａと第２配線部６とが電気的に接続されておらず、したがって各配線部６ａ，６ｂの端部をフレキシブルプリント基板２１との端子部とする必要があった。これに対して本実施形態では、第１配線部６ａと第２配線部６ｂとをセンサ基板９側にて配線接続部１８により電気的に接続しているから、センサ基板９側で第１配線部６ａから第２配線部６ｂに至る連続した配線パターンを形成でき、したがって、各配線パターンに夫々、一つずつ端子部１５，１７を形成すればよく、端子数を従来よりも減らすことができる。よって、フレキシブルプリント基板２１のサイズを従来に比べて小さく形成できる。図２（ａ）に示すように、フレキシブルプリント基板２１の幅寸法ｔ１を小さくできる。また、フレキシブルプリント基板２１の表面（センサ基板９との対向面側）に複数の配線部２３及び電気接続部２２を平面的に形成でき（図２（ａ）参照）、従来のように積層化する必要もない。
【００５８】
以上により本実施形態の静電容量式入力装置１によれば、従来に比べて生産コストの低減を図ることができる。
【００５９】
なお本実施形態では、センサ基板９側で各第１配線部６ａと各第２配線部６ｂとを第１配線接続部１８により接続しているため、各第１配線接続部１８の形成や、フレキシブルプリント基板２１側との電気絶縁を保つための絶縁層１９の形成が必要になるが、これらの層は、他の層との形成と同工程で形成可能であり、製造工程が煩雑化することがなく、またフレキシブルプリント基板２１側の層構成や大きさを変更するよりも生産コストの低減を図ることができる。
【００６０】
本実施形態では、図１（ａ）、図２（ａ）に示すように、複数の第１配線接続部１８が設けられ、各第１配線接続部１８が平面視（厚さ方向（Ｚ））で相互に重ならないように平面的に形成されている。よって第１配線接続部１８が形成された部分の厚さが他の部分と比べて極端に厚くなるということがなく、センサ基板９の薄型化を実現できる。
【００６１】
また図１（ａ）、図２（ａ）に示すように各第１配線接続部１８は、各第１端子部１５のＹ１側端部から周辺領域２５のＹ１側に引き出され、第２配線部６ｂに近づく方向に引き回されて各第２配線部６ｂにまで接続されている。このように、各第１端子部１５からみて、入力領域１１から離れる側の領域を用いて各第１配線接続部１８を形成することで、スペースを有効活用でき、各第１配線接続部１８が厚さ方向にて重ならないように適切且つ簡単に形成できる。
【００６２】
また、図１（ａ）、図２（ａ）に示すように、各第１配線部６ａは、Ｙ１側周辺領域２５ｃのＸ１側に配列され、各第２配線部６ｂは、Ｙ１側周辺領域２５ｃのＸ２側に配列されている。そして各第１配線部６ａ及び各第２配線部６ｂのうち、Ｘ１−Ｘ２方向の最も内側に配置された第１配線部６ａ１と第２配線部６ｂ１（図２（ａ）に符号を付した）とが同じ第１電極連結体８から引き出された組を構成している。また、第１配線部６ａ１及び第２配線部６ｂ１の一つ外側に配置された第１配線部６ａ２と第２配線部６ｂ２（図２（ａ）に符号を付した）とが同じ第１電極連結体８から引き出された組を構成している。さらに、第１配線部６ａ２及び第２配線部６ｂ２の一つ外側に配置された（最も外側に配置された）第１配線部６ａ３と第２配線部６ｂ３（図２（ａ）に符号を付した）とが同じ第１電極連結体８から引き出された組を構成している。
【００６３】
そして、最も内側に配置された第１配線部６ａ１と第２配線部６ｂ１間を電気的に接続する第１配線接続部１８ａが最も内側に配置され、第１配線部６ａ２と第２配線部６ｂ２間を電気的に接続する第１配線接続部１８ｂが、前記配線接続部１８ａの外側に配置され、最も外側に配置された第１配線部６ａ３と第２配線部６ｂ３間を接続する第１配線接続部１８ｃが、前記第１配線接続部１８ｂの外側に配置され各配線接続部の中では最も外側に配置されている。
【００６４】
上記のように各第１配線接続部１８は、Ｘ１−Ｘ２方向の最も内側に位置する前記組に対する第１配線接続部１８ａからＸ１−Ｘ２方向の最も外側の前記組に対する第１配線接続部１８ｃにかけて順にＸ１−Ｘ２方向およびＹ１方向に広がって形成される。そして上記のように各第１配線部６ａ、各第２配線部６ｂ及び各第１配線接続部１８を配置することで左右対称なパターン形成を可能とし、簡単且つ適切に各配線部及び配線接続部をパターン形成できる。
【００６５】
図３に示す第２の実施形態の静電容量式入力装置４０は、図１に示す第１の実施形態の静電容量式入力装置１と異なって、第２電極連設体１２のＹ１−Ｙ２方向の両側から配線部を周辺領域２５内に引き出している。なお図３では、各透明電極、各第１配線部、各第２配線部、第１配線接続部の構成は特に図１と変らないので符号を割愛した。
【００６６】
図３（ａ）に示すように、各第２電極連結体１２のＹ１側端部（第３端部）１２ａから第３配線部６ｃが引き出され、各第２電極連結体１２のＹ２側端部１２ｂから第４配線部６ｄが引き出されている。各第４配線部６ｄは、Ｙ２側周辺領域２５ｄからＸ１側周辺領域２５ａあるいはＸ２側周辺領域２５ｂを通り、Ｙ１側周辺領域２５ｃまで引き出されている。
【００６７】
図４に示すように各第３配線部６ｃの先端に位置する各第２端子部１７のＹ１側端部から第２配線接続部４２がＹ１方向に引き出され、第４配線部６ｄに近づく方向に引き回されて第４配線部６ｄに電気的に接続されている。例えば第４配線部６ｄは、各端子部１５、１７のＹ１側端部の位置付近まで引き出されている。
【００６８】
図３（ｂ）、図４に示すように第２配線接続部４２は、絶縁層１９の表面１９ａに形成される。
【００６９】
図３（ｂ）、図４に示すように、第２配線接続部４２は、第２端子部１７と電気的に接続されている。また、図４に示すように、第２配線接続部４２は、絶縁層１９に形成されたスルーホール１９ｂを介して第４配線部６ｄと電気的に接続されている。
【００７０】
各第２配線接続部４２は、第１配線部６ａから第２配線部６ｂと電気的に接続された各第１配線接続部１８と絶縁層１９を介して電気的に絶縁された状態となっている。各第２配線接続部４２は、各第１配線接続部１８と電気的に絶縁されていれば、図３（ａ）、図４以外のパターンで形成されてもよい。
【００７１】
また図３（ｂ）に示すように各第２配線接続部４２の表面は第３絶縁層４３により覆われている。
【００７２】
図３、図４に示す第２の実施形態によれば、複数の第２透明電極５をＹ１−Ｙ２方向に連結してなる各第２電極連結体１２に対しても、Ｙ１−Ｙ２方向の両側から配線部６ｃ，６ｄを引き出して、第２配線接続部４２により電気的に接続させることができる。これにより、より効果的に、座標入力やジェスチャ操作に対する応答性を改善できる。
【００７３】
また、第２配線接続部４２と、第１配線接続部１８間を電気的に絶縁することが必要となり、図３（ｂ）に示すように積層構造となるが、センサ基板９における他の領域でのプロセスと同工程を用いて積層構造を形成でき、フレキシブルプリント基板２１側を積層化するよりも生産コストの低減を図ることができる。例えば図３、図４の構成では、絶縁層１９（第１絶縁層）を、図５に示す絶縁層２０（第２絶縁層）と同工程で形成でき、また第２配線接続部４２を、図５に示すブリッジ配線１０と同工程で形成できる。
【００７４】
上記で示した入力領域１１内に形成される透明電極４，５の構成は一例であり、限定されるものでない。例えば図６のように、Ｘ１−Ｘ２方向に細長い複数の透明電極４５が、Ｙ１−Ｙ２方向に間隔を空けて配置される。そして各透明電極４５のＸ１−Ｘ２方向の両側から周辺領域２５内に第１配線部４６と第２配線部４７とが延出形成され、各第１配線部４６と各第２配線部４７とが第１配線接続部４８を介して電気的に接続されている。図６の構成では、入力領域１１内にＹ１−Ｙ２方向に延出する透明電極が図示されていないが、Ｙ１−Ｙ２方向に延出する透明電極は別の透明基材表面に形成されている。そして図６に示す透明基材と、Ｙ１−Ｙ２方向に延出する透明電極を備えた別の透明基材とが光学透明粘着層（ＯＣＡ）を介して接合されている。
【００７５】
また、図１、図３、図６に示すようにセンサ基板の略中央に大きく形成された入力領域のみならず、センサ基板の端部付近や隅のほうに小さく形成された小入力領域が設けられる構成において、小入力領域内に設けられた１つ、あるいは２以上の透明電極に対して両側から配線部を引き出し、引き出された各配線部を配線接続部により接続することができる。
【符号の説明】
【００７６】
１  静電容量式入力装置
２  透明基材
３  パネル
４、５  電極
６ａ、４６  第１配線部
６ｂ、４７  第２配線部
６ｃ  第３配線部
６ｄ  第４配線部
７  第１連結部
８  第１電極連結体
９  センサ基板
１０  ブリッジ配線
１１  入力領域
１２  第２電極連結体
１５  第１端子部
１７  第２端子部
１８  第１配線接続部
１９、２０、４３  絶縁層
２１  フレキシブルプリント基板
２５  周辺領域
４２  第２配線接続部
４８  第１配線接続部
【図１】
0006029842.tif 000002
【図２】
0006029842.tif 000003
【図３】
0006029842.tif 000004
【図４】
0006029842.tif 000005
【図５】
0006029842.tif 000006
【図６】
0006029842.tif 000007